(57)【特許請求の範囲】
【請求項１】
背板部と引寄せボルトの貫通係合部を有し、背板部はその長手方向中間の一部を両側方から背面板の一面側へ押圧して立ち上げた構造を有し、この立ち上がり部に貫通係合部を固定してあることを特徴とした引寄せ金物。
【請求項２】
請求項１に記載の構成を備え、貫通係合部に対して引寄せボルトが係合する側を先端側、その反対を基端側と定め、貫通係合部の基端側を、背板部の面と鋭角をなし背板部の基端側で交差する傾斜面により切断された構造であって、この鋭角は筋交いが土台となす角度に等しいか大きな角度であることを特徴とした引寄せ金物。
【請求項３】
背板部は、貫通係合部より基端側を幅広に形成してあることを特徴とした請求項１に記載の引寄せ金物。
【発明の詳細な説明】
【０００１】
【発明の属する技術分野】
この発明は、木造軸組住宅において多く用いられる引寄せ金物に関する。
【０００２】
【従来の技術】
一方の長尺材に他方の長尺材端部を突き当てて組み付ける構造は、木造軸組み構造の住宅に多い。
木造軸組構造の住宅では、基礎と土台との緊結の他に、土台と柱の緊結、柱と梁あるいは筋交いとの緊結など各部材相互間の緊結が重要であり、多くの接合金物が用いられている。
このうち、土台と柱の緊結には、図１２，１３に示すような引寄せ金物５が用いられて来た。符号１は布基礎、符号２は土台、符号３はアンカーボルト、および符号４は柱である。
【０００３】
図１２は、木造軸組住宅の隅部の構造を示している。布基礎１に縦横の土台２ａ，２ｂを、それぞれ予め布基礎１に下部を固定したアンカーボルト３で固定し、土台２ａ，２ｂを突き当てた角部に柱４（通し柱）を立設してある。通し柱４の正面には引寄せ金物５が取付けボルト６で固定してあり、これと予め布基礎１に下部を固定し、土台２ａ，２ｂを貫通してある引寄せボルト７ａ、ナット７ｂで緊結してある。
引寄せ金物５は、頑丈な厚手の鋼板製であり、背板部８と引寄せボルト７が貫通し、又、ナット７ｂが係合する貫通係合部９を有している。土台２ａ，２ｂから突出している引寄せボルト７ａの上部を、引寄せ金物５の貫通係合部９に通し、その上端部にナット７ｂを螺合して貫通係合部の上端面に係合してある。
【０００４】
したがって、ナット７ｂを締め込むと柱４は土台２ａ，２ｂ側へ引寄せられ、２〜３ｔの力（約２０００〜３０００×９．８Ｎ）で緊結される。
しかし、この従来の引寄せ金物５は、長い背板部８の下端部に貫通係合部９が設けられているのと、背板部８が平らな単なる板材であるために、緊結によって貫通係合部９に強い力が作用すると、引寄せ金物５は下部が外側ヘ引き出されるような変形状態となり、ついには貫通係合部に近い取り付けボルト６の個所で背板部８の破断が生じる。
また、材質の柔らかい杉材などでは、下端部が材中へめり込む損傷を受ける。
【０００５】
貫通係合部９が背板部８から張り出す構造は、緊結用のナット７ｂに工具をかけて回すために必要なものである。一方、柱４と土台３の角部に筋交いを配置する必要があるときは、筋かいを避けて貫通係合部９を高く配置することになるので、取り付けボルト６による固定位置が柱４の下端から遠く離れて高くなり、固定位置が低い場合に比べて緊結状態が不安定になる。すなわち、貫通係合部９の張り出し量はできるだけ小さくしたい。
又、従来の引寄せ金物５は、貫通係合部９の形成に手間を要し、コスト的に不利である。
【０００６】
図１３は、従来の引寄せ金物５の他の例である。この引寄せ金物５はいわゆるボックス形で、構造的に頑丈であるが、両側に側壁１０を備えているために、引寄せボルト７ａにナット７ｂを螺合してねじ込む緊結作業をやりにくい難点がある。また、少し大型になって重いのと、側壁１０が張り出して筋かいを取り付ける個所には利用できないと言う難点がある。
【０００７】
なお、引寄せ金物５は、常に、引寄せボルト７ａと組合せて使用されるが、柱４と土台２ａ，２ｂの緊結ばかりでなく、梁を挟んで配置された上階の管柱と下階の管柱の緊結や、柱を挟んで両側の梁を水平方向で緊結する場合もある。この意味で引寄せ金物５に関して上方や下方あるいは柱や土台という記載は便宜的なものである。
説明上の方向を定めるために、引寄せ金物５の貫通係合部９に着目して、引寄せボルト７ａが係合する側を先端側、その反対側を基端側とし、これと直交する方向を両側（左右）とする。
また、梁や土台は一般には横架材である。
【０００８】
【発明が解決しようとする課題】
この発明は、製造が簡単で、頑丈であり、また、木材を損傷せず、筋かいの取り付けにも邪魔となることが少ない引寄せ金物の提供を課題とする。
【０００９】
【課題を解決するための手段】
背板部と引寄せボルトの貫通係合部を有した構造とする。
背板部は両側部が一面側へ屈曲して立ち上がり部となり、両側に立ち上がり部を備えた構造とする。そして、立ち上がり部に貫通係合部を溶接などにより固定する。
【００１０】
素材は多くが厚手の鋼板やステンレス鋼板である。背板部は、両側に立ち上がり部を備えることで、貫通係合部を固定しやすく、製品コストの低減を図ることができる。また、溶接作業が安定すると共に溶接線を充分に長く取ることができるので、背板部と貫通係合部との固定状態が頑丈である。さらに、立ち上がり部を有することによって、背板部を折り曲げるような方向の力に対して抵抗力が高く、屈曲や破断が生じない。
【００１１】
貫通係合部は、管材を短く切断して利用することもあるが、通常、鋼板を断面Ｕ字形にプレス成形したものを用いる。断面Ｕ字形であると左右方向の幅に対して前後方向の寸法を取りやすい。前後方向に寸法があると、引寄せボルトの位置ずれを吸収し、柱等の面へ引寄せボルトを無理なく取り付けやすい。もっとも、管材を短く切断したものでも、径の大きな管材を用いればこの点に関して同じ効果を得られる。
【００１２】
貫通係合部の基端側の端面を傾斜面とすることがある。これは、筋かいの角度に対して、貫通係合部が干渉する範囲をできるだけ少なくすることを目的としたものである。すなわち、貫通係合部の基端側を、背板部の面と鋭角をなし背板部の基端側で交差する傾斜面により切断した構造とする。
これにより、引寄せ金物の位置を上下に移動させることなく、筋かいの側面を引寄せ金物へ従来よりも近接させることができ、引寄せ金物による緊結の安定を維持しながら、筋かいの厚さを増して壁倍率を高く取ることができる。
【００１３】
背板部はねじあるいは釘打ちにより木材に固定するものと、木材を貫通するボルトとナットにより木材に固定されるものがある。木材の内部に木の芯を持ついわゆる芯持材は割れていたり、割れやすいので、木材を貫通するボルトによる固定よりは、多数本の釘打ちの方が適している。
背板部が備える立ち上がり部は、背板部の両側全体に形成することもあれば、両側におけるそれぞれの一部のこともある。一部の場合、背板部の一部を両側方から押圧してめくり上げるように立ち上げる構造がもっとも簡単であるし、充分な強度も得られる。
【００１４】
背板部の貫通係合部より基端側は、引寄せボルトを締めこむと木材を圧迫する方向に作用するので、この部分を幅広に形成し、単位面積あたりの圧迫荷重を小さくすることがある。これにより、杉材のように柔らかい材の場合でも引寄せ金物がめり込んでしまう事態を防ぐことができる。
【００１５】
【発明の実施の形態】
図１〜４は、第１の実施態様である。引寄せ金物５は、背板部８と貫通係合部９を有する。背板部８は厚さ４．５ｍｍ、幅５６ｍｍ、長さ２１０ｍｍの鋼板を基本形１０とし、基端から約1/３の個所を両側からプレスして背板部８の一面側へ折り上げ、立ち上がり部１１を形成してある。形成された立ち上がり部１１は、長さ約６０ｍｍ、高さ約１５ｍｍで、両側の立ち上がり部１１間の間隔は２６ｍｍであり、それぞれの立ち上がり部１１の前後方向での両側に、プレスの際に自然に生じる前記基本形１０の側縁から立ち上がり部１１の上辺に達する湾曲した面１２を有している。湾曲した面１２の平面視における長さは約２２．５ｍｍである。
なお、背板部８の先端側には複数の釘孔１３を形成し、また、基端側に基本形１０と同じ幅の部分を残してある。
【００１６】
貫通係合部９は、厚さ４．５ｍｍの鋼板を断面Ｕ字形にプレス加工したものであり、高さ５０．５ｍｍ、外幅２６ｍｍ、長さ６０ｍｍである。Ｕ字形部分の内幅は１７ｍｍとなる。
背板部８の立ち上がり部１１間に貫通係合部９を、Ｕ字形を逆にして開口側の辺が背板部８に到達するまで嵌め込み、ついで、これらの境界部分を溶接する。
図４は、この引寄せ金物５の使用例であり、上階と下階の管柱４ａ，４ｂを緊結している個所である。符号１４は梁、符号１５は胴差であり、羽子板ボルト１６を用いて水平方向に緊結してある。
【００１７】
上方の管柱４ａに引寄せ金物５ａを取り付け、下方の管柱５ｂに引寄せ金物５ｂを取り付け、ついで、桁１５を貫通させた引寄せボルト７ａでこれらを結合して、ナット７ｂにより締め付けてある。引寄せボルト７ａ、７ｂは同じ製品でこれを対向して配置してある。これらは管柱４ａ，４ｂに釘打ちにより固定されている。
柱４に対する引寄せ金物５の固定は釘打ちによるので、柱４がいわゆる芯持ち材であっても、柱４を割ってしまったり、あるいは、背板部８の固定具が割れ目に嵌って有効に機能しないなどの事態を避けることができる。また、背板部８の基端側に幅広部を残してあるので、ナット７ｂを強く締め付けてもこの部分が木材に喰い込むということがほとんどない。
【００１８】
さらに、貫通係合部９は、前後方向に長いＵ字形なので、引寄せボルト７ａの位置を前後に調整することができる。これにより、引寄せボルト７ａが、梁１４と桁１５を結合している羽子板ボルト１６と干渉するのを避けることができる。なお、上下の管柱４a，４bを羽子板ボルト１６で緊結し、梁１４と桁１５を引寄せ金物５と引寄せボルト７ａを用いて緊結することもできる。
このタイプでは約２ｔの引寄せ力を得ることができる。背板部８の大きさを変えることや釘孔１３をボルト孔として背板部８の固定をボルトによるものとするのは設計事項である。
【００１９】
図５〜７は、第２の実施態様である。引寄せ金物５は、背板部８と貫通係合部９を有する。背板部８の基本形１０は第１の実施態様の場合と同じであるが、立ち上がり部１１を両側の全部に形成してある。貫通係合部９は第１の実施態様の場合と同じであるが、背板部８に対する取り付け位置は背板部８の基端であり、基端側に背板部８が突出していない。また、背板部８の先端側にはボルト挿通孔１７を形成してある。
図７は、木造軸組住宅の隅部であり、通し柱４をこの実施態様による引寄せ金物５と引寄せボルト７ａ、ナット７ｂにより、布基礎１および土台２ａ，２ｂへ緊結している。引寄せ金物５は柱４へ２本の取り付けボルト１１とこれに螺合するナットによって固定してある(図６)。
【００２０】
第２の実施態様による引寄せ金物５は、形態がもっとも簡単で製造コストを低減することができる。一方、立ち上がり部１１を両側の全部に設けているので背板部８を屈曲させようとする力に対する抵抗力が高く頑丈である。貫通係合部９が背板部８の基端にあるので、引寄せ金物５を土台２ａ，２ｂ(横架材)の面へ近づけて配置することができ、より安定な緊結状態を得ることができる。
【００２１】
図８〜１０は、第３の実施態様である。第２の実施態様において、貫通係合部９の基端側を傾斜面１８で切断した構造としてある点を特徴とする。この傾斜面１８は、背板部８の面と鋭角αをなし背板部８の基端側で交差する面である。鋭角αは、筋かい１９(図９)が土台２ａとなす角度にほぼ等しいか、大きくしてある。
【００２２】
第３の実施態様による引寄せ金物５の使用は、第２の実施態様の場合をほとんど同じであるが、貫通係合部９の基端側を筋かい１９の傾斜に合わせた傾斜面としてあるので、貫通係合部９を上下方向でより近く筋かい１９へ近づけることができ、同時に、筋かい１９の内側面を引寄せボルト７ａまで近接させることができる(図１０)。これにより、引寄せ金物５による緊結状態がより安定し、また、必要に応じて筋かい１９の厚み寸法を大きくして壁の耐力基準である壁倍率を大きくすることができる。
【００２３】
図１１は、第４の実施態様である。引寄せ金物５は、背板部８と貫通係合部９とからなり、貫通係合部９を、背板部８の基端側で立ち上がり部１１の間に嵌め込み、溶接によって固定してある。第２、第３の実施態様に対し、第４の実施態様は、貫通係合部９が背板部８の基端に位置するのではなく少し先端側にあって、基端側に背板部８の残部が存在し、その部分に立ち上がり部１１はなく、幅広部２０に形成してある点を特徴としている。
【００２４】
第４の実施態様による引寄せ金物５の使用状態は、他の実施態様の場合と同様であるが、取り付けボルト６を３本用い、３ｔの緊結力を得られるようにしている。これにともない、背板部８の基端部が木材を圧迫する力も強くなるが、幅広部２０を備えるので圧力が分散され、引寄せ金物５の基端側が木材に喰い込むのを防止することができる。特に、杉材など、柔らかい材質の木材を利用するときに効果がある。
以上、実施態様について説明したが、各部の寸法や取り付けボルト６などの本数は必要とする緊結力の大きさによる。
【００２５】
【発明の効果】
背板部に立ち上がり部を設け、これに貫通係合部を固定する構造なので、溶接等の固定作業が容易であり、製品のコストを低減することができる。
また、背板部と貫通係合部との溶接線が長く、構造が簡単なこととあいまって頑丈な引寄せ金物を得ることができる。
基端側の背板部を幅広に形成することにより、緊結にともなって引寄せ金物が木材への喰い込みのを抑制することができる。
貫通係合部の基端側を筋かいの傾斜に合わせた傾斜面とすることにより、貫通係合部と筋かいを近接して配置することができ、緊結の安定と壁倍率の向上を図ることができる。
【図面の簡単な説明】
【図１】斜視図(第１の実施態様)
【図２】正面図
【図３】側面図
【図４】使用状態を示した斜視図
【図５】斜視図(第２の実施態様)
【図６】使用状態で示す正面図(一部を透視)
【図７】使用状態を示す斜視図
【図８】斜視図(第３の実施態様)
【図９】使用状態を示す斜視図
【図１０】使用状態で示す正面図
【図１１】斜視図(第４の実施態様)
【図１２】使用状態で示す斜視図(従来例の１)
【図１３】使用状態で示す斜視図(従来例の２)
【符号の説明】
１  布基礎
２ａ，２ｂ  土台
３  アンカーボルト
４  柱
５  引寄せ金物
６  取り付けボルト
７ａ  引寄せボルト
７ｂ  ナット
８  背板部
９  貫通係合部
１０  基本形
１１  立ち上がり部
１２  湾曲した面
１３  釘孔
１４  梁
１５  胴差
１６  羽子板ボルト
１７  ボルト挿通孔
１８  傾斜面
１９  筋かい
２０  幅広部
【図１】
0004717239.tif 000002
【図２】
0004717239.tif 000003
【図３】
0004717239.tif 000004
【図４】
0004717239.tif 000005
【図５】
0004717239.tif 000006
【図６】
0004717239.tif 000007
【図７】
0004717239.tif 000008
【図８】
0004717239.tif 000009
【図９】
0004717239.tif 000010
【図１０】
0004717239.tif 000011
【図１１】
0004717239.tif 000012
【図１２】
0004717239.tif 000013
【図１３】
0004717239.tif 000014